(57)【要約】      （修正有）【課題】全体としての消費電力の増加を抑制しながら、筐体要所の結露を防止するための結露防止パイプにおいて効果的に放熱させることが可能な冷蔵庫を提供する。【解決手段】冷蔵庫は圧縮機２１、コンデンサ（凝縮器）２２、蒸発器２８及び本体筐体の間口の結露を防止するための結露防止パイプ２４を構成要素として含む冷凍サイクル２０と、気流を発生させて補助凝縮器２３における冷媒の放熱、凝縮を促進する凝縮器ファンと、間口の結露を検出する結露検出部とを備え、結露検出部が結露に係る所定条件を検出したとき、凝縮器ファンの回転を停止、または通常より低速の回転数に設定して全体放熱バランスの切り替えを実行する。【選択図】図３
2014059109.tif 000002
【特許請求の範囲】
【請求項１】
冷凍サイクル中に、圧縮機と、凝縮器と、蒸発器と、筐体要所の結露を防止するための結露防止パイプとを含むとともに、気流を発生させて前記凝縮器における冷媒の放熱、凝縮を促進する凝縮器ファンと、筐体要所の結露を検出する結露検出部とを備えた冷蔵庫において、
前記結露検出部が結露に係る所定条件を検出したとき、前記凝縮器ファンの回転数を変更して全体放熱バランスの切り替えを実行することを特徴とする冷蔵庫。
【請求項２】
前記凝縮器ファンの回転数の変更に加えて、前記圧縮機の回転数を変更して全体放熱バランスの切り替えを実行することを特徴とする請求項１に記載の冷蔵庫。
【請求項３】
前記蒸発器に対する除霜運転が可能であって、前記除霜運転で発生する除霜水を受ける蒸発皿を備えるとともに、前記凝縮器ファンが発生させる気流の少なくとも一部が前記蒸発皿に向けられ除霜水の蒸発を助長するものであり、
前記圧縮機の運転を停止しているとき、前記凝縮器ファンを回転させることを特徴とする請求項１または請求項２に記載の冷蔵庫。
【請求項４】
前記蒸発器に対する除霜運転が可能であって、前記除霜運転で発生する除霜水を受ける蒸発皿を備えるとともに、前記凝縮器ファンが発生させる気流の少なくとも一部が前記蒸発皿に向けられ除霜水の蒸発を助長するものであり、
前回実行した前記除霜運転が終了してから所定期間以内であり、且つ当該除霜運転の実行時間が所定時間を超えたとき、前記全体放熱バランスの切り替えを実行しないことを特徴とする請求項１〜請求項３のいずれか１項に記載の冷蔵庫。
【発明の詳細な説明】
【技術分野】
【０００１】
本発明は冷蔵庫に関する。
【背景技術】
【０００２】
冷蔵庫の冷凍サイクルにおいて、圧縮機から吐出される高圧高温の冷媒は凝縮器、減圧器（キャピラリーチューブ等）を経て放熱、減圧されて蒸発器へと送り込まれ、蒸発して周囲から熱を奪うことで庫内を冷却する。このような従来の冷蔵庫が特許文献１に開示されている。
【０００３】
特許文献１に記載された従来の冷蔵庫は凝縮器と減圧器との間に放熱パイプである結露防止パイプ（防露パイプ）を備えている。ここで、冷蔵庫では、庫内と外気との温度差により、例えば前面扉を開放した間口部分において結露が発生し易いことが懸念されていた。そこで、上記従来の冷蔵庫は結露防止パイプが間口に配置されている。これにより、結露防止パイプが間口で放熱し、間口における結露の発生を防止している。
【先行技術文献】
【特許文献】
【０００４】
【特許文献１】特開平８−１８９７５３号公報
【発明の概要】
【発明が解決しようとする課題】
【０００５】
しかしながら、上記従来の冷蔵庫は、例えば外気の湿度が比較的高いときなど結露が発生し易い状況にあって結露防止を強化したいが、そのための熱量が不足している場合の対策について考慮されていない。したがって、冷蔵庫全体としての消費電力の増加を抑制しながら、結露防止パイプで効果的に放熱させる必要があるといった課題があった。
【０００６】
本発明は上記の点に鑑みなされたものであり、冷蔵庫全体としての消費電力の増加を抑制しながら、冷蔵庫の筐体要所の結露を防止するための結露防止パイプにおいて効果的に放熱させることが可能な冷蔵庫を提供することを目的とする。
【課題を解決するための手段】
【０００７】
上記の課題を解決するため、本発明は、冷凍サイクル中に、圧縮機と、凝縮器と、蒸発器と、筐体要所の結露を防止するための結露防止パイプとを含むとともに、気流を発生させて前記凝縮器における冷媒の放熱、凝縮を促進する凝縮器ファンと、筐体要所の結露を検出する結露検出部とを備えた冷蔵庫において、前記結露検出部が結露に係る所定条件を検出したとき、前記凝縮器ファンの回転数を変更して全体放熱バランスの切り替えを実行することを特徴としている。
【０００８】
この構成によれば、冷蔵庫は、例えば凝縮器ファンの回転を停止、または通常より低速の回転数に設定することで、凝縮器における冷媒の放熱量が低下する。凝縮器において通常よりも放出できなかった熱量は結露防止パイプにわたり、結露防止パイプにおける冷媒の放熱量が増加する。このようにして、冷蔵庫は消費電力の増加を抑制しながら全体放熱バランスの切り替えを実行して、結露防止パイプを用いた結露の防止を強化する。
【０００９】
なお、ここで述べた結露検出部及び結露防止パイプに係る「筐体要所」は例えば冷蔵庫の前面扉を開放した間口部分などといった本体筐体の特定部分を意味する。したがって、結露検出部及び結露防止パイプは通常運転中に蒸発器で発生し得る結露、着霜に対応して設けられる凝縮器温度検出部や凝縮器ヒータとは異なる構成要素である。
【００１０】
また、ここで述べた結露検出部が検出する結露に係る「所定条件」は冷蔵庫の外気の予め設定した任意の環境条件を意味する。結露検出部は、例えば湿度センサや結露センサ、乾湿計などを利用して構成される。「所定条件」はこれらのセンサ類が出力する結露が発生した状態、或いは結露発生に近い状態を意味する。
【００１１】
また、上記構成の冷蔵庫において、前記凝縮器ファンの回転数の変更に加えて、前記圧縮機の回転数を変更して全体放熱バランスの切り替えを実行することを特徴としている。
【００１２】
この構成によれば、冷蔵庫は、例えば凝縮器ファンの回転を停止、または通常より低速の回転数に設定し、さらに消費電力の増加を抑制しながら例えば圧縮機の回転数を通常より高速の回転数に設定する。したがって、凝縮器における冷媒の発熱量が高まり、結露防止パイプにおける冷媒の放熱量が増加する。
【００１３】
また、上記構成の冷蔵庫において、前記蒸発器に対する除霜運転が可能であって、前記除霜運転で発生する除霜水を受ける蒸発皿を備えるとともに、前記凝縮器ファンが発生させる気流の少なくとも一部が前記蒸発皿に向けられ除霜水の蒸発を助長するものであり、前記圧縮機の運転を停止しているとき、前記凝縮器ファンを回転させることを特徴としている。
【００１４】
例えば、冷蔵庫は凝縮器ファンの回転を停止させると、通常蒸発皿の除霜水の蒸発量が低減する。一般的に圧縮機の運転を停止しているとき、凝縮器ファンの回転を停止させることが多いが、この構成よれば、凝縮器ファンを回転させることで蒸発皿の除霜水の蒸発量が回復する。したがって、蒸発皿からの除霜水の溢流が妨げられる。
【００１５】
また、上記構成の冷蔵庫において、前記蒸発器に対する除霜運転が可能であって、前記除霜運転で発生する除霜水を受ける蒸発皿を備えるとともに、前記凝縮器ファンが発生させる気流の少なくとも一部が前記蒸発皿に向けられ除霜水の蒸発を助長するものであり、前回実行した前記除霜運転が終了してから所定期間以内であり、且つ当該除霜運転の実行時間が所定時間を超えたとき、前記全体放熱バランスの切り替えを実行しないことを特徴としている。
【００１６】
冷蔵庫は、例えば直前に蒸発器に対する除霜運転を比較的長時間実行した場合、多くの除霜水が蒸発皿に貯留することがある。そこで、この構成によれば、例えば凝縮器ファンの回転を停止、または通常より低速の回転数に設定するようなことを実行しない。したがって、凝縮器ファンを利用した蒸発皿の除霜水の蒸発が優先され、蒸発皿からの除霜水の溢流が妨げられる。
【００１７】
なお、ここで述べた「所定期間」及び「所定時間」は全体放熱バランスの切り替えを実行しないようにするために予め設定した除霜運転の実行時間に係る任意の期間及び時間であり、例えば４５分〜９０分といった期間及び時間として構わない。後述する実施形態では除霜運転の実行時間に係る「所定期間」及び「所定時間」をともに「６０分」に設定しているが、このような期間、時間に限定されるわけではない。
【発明の効果】
【００１８】
本発明の構成によれば、冷蔵庫全体としての消費電力の増加を抑制しながら、冷蔵庫の筐体要所の結露を防止するための結露防止パイプにおいて効果的に放熱させることが可能な冷蔵庫を提供することができる。
【図面の簡単な説明】
【００１９】
【図１】本発明の実施形態の冷蔵庫の垂直断面側面図である。
【図２】本発明の実施形態の冷蔵庫の機械室の外観斜視図である。
【図３】本発明の実施形態の冷蔵庫の冷凍サイクルの概略斜視図である。
【図４】本発明の実施形態の冷蔵庫の構成を示すブロック図である。
【図５】本発明の実施形態の冷蔵庫の間口の結露防止に係る動作フローを示すフローチャートである。
【発明を実施するための形態】
【００２０】
以下、本発明の実施形態を図１〜図５に基づき説明する。
【００２１】
最初に、本発明の実施形態の冷蔵庫について、図１〜図４を用いてその構造と動作の概略を説明する。図１は冷蔵庫の垂直断面側面図、図２は冷蔵庫の機械室の外観斜視図、図３は冷蔵庫の冷凍サイクルの概略斜視図、図４は冷蔵庫の構成を示すブロック図である。なお、図１における左方が冷蔵庫の前面側であり、右方が冷蔵庫の背面側である。
【００２２】
冷蔵庫１は、図１に示すように断熱構造の本体筐体２を備える。本体筐体２はその内部に食品等の貯蔵室として上方から順に冷蔵室３、上側冷凍室４、下側冷凍室５及び野菜室６を備える。冷蔵室３と上側冷凍室４との間は仕切り部７によって仕切られ、上側冷凍室４と下側冷凍室５との間は仕切り部８によって仕切られ、下側冷凍室５と野菜室６との間は仕切り部９によって仕切られる。
【００２３】
冷蔵室３の前面の開口部３ａは断熱構造の回動式の扉３ｂによって開閉される。上側冷凍室４の前面の開口部４ａは断熱構造の引き出し式の扉４ｂによって開閉される。下側冷凍室５の前面の開口部５ａは断熱構造の引き出し式の扉５ｂによって開閉される。野菜室６の前面の開口部６ａは断熱構造の引き出し式の扉６ｂによって開閉される。なお、扉４ｂ、扉５ｂ及び扉６ｂの背面側には上面を開口した略箱形状をなし、樹脂成型により形成された収納ケース（図示せず）が取り付けられる。
【００２４】
扉４ｂと上側冷凍室４内部の側壁との間、扉５ｂと下側冷凍室５内部の側壁との間、及び扉６ｂと野菜室６内部の側壁との間には前後方向に延びて摺動する案内部（図示せず）が各々設けられている。これにより、扉４ｂ及びその収納ケースと、扉５ｂ及びその収納ケースと、扉６ｂ及びその収納ケースとはそれぞれ一体的に各開口部を通して前後にスムーズにスライドさせて出し入れすることができる。
【００２５】
本体筐体２の背面下部には、図１及び図２に示す機械室１０が形成される。機械室１０には、図３に示す冷凍サイクル２０の構成要素である圧縮機２１、補助凝縮器２３及びドライヤ２６が配置される。また、機械室１０には蒸発皿１１及び凝縮器ファン１２が配置される。
【００２６】
冷凍サイクル２０は、図３に示すように圧縮機２１、コンデンサ（凝縮器）２２、補助凝縮器２３、結露防止パイプ２４、切替弁２５、ドライヤ２６、キャピラリーチューブ２７、蒸発器（冷却器）２８及びサクションパイプ２９を構成要素として含む。なお、図３の配管に近接して描画した矢印が冷媒の流通方向を示す。
【００２７】
圧縮機２１は前述のように機械室１０に配置され、冷蔵庫１の各貯蔵室内を冷却するための冷媒を圧縮する。
【００２８】
コンデンサ（凝縮器）２２は高温の冷媒を凝縮させる機能を有する。コンデンサ２２は本体筐体２の背面、上面、右側面、左側面といった放熱、凝縮し易い箇所に設けられる。コンデンサ２２は本体筐体２の背面でバックコンデンサ２２Ｂとなり、左右の側面でサイドコンデンサ２２Ｌ、２２Ｒとなる。
【００２９】
コンデンサ２２の途中であって機械室１０には補助凝縮器２３が配置される。補助凝縮器２３は、図２に示すように所定の間隔を設けて並置された複数の平面視矩形をなす放熱板２３ａを備える。補助凝縮器２３は複数の放熱板２３ａの通風方向が凝縮器ファン１２が発生させる気流の流通方向、すなわち図２の左右方向と一致するように設けられる。なお、凝縮器ファン１２が発生させる気流は図２の右方から左方に向かって流通する。
【００３０】
結露防止パイプ２４は三方弁からなる切替弁２５を介してコンデンサ２２の途中から分岐する。結露防止パイプ２４は本体筐体２の要所の結露を防止するためのものであって、ここでは冷蔵庫１の前面の各開口部に相当する間口の結露を防止するために設けられる。すなわち、結露防止パイプ２４は冷蔵庫１の間口部分、特にその間口部分の下側であって上側冷凍室４の開口部４ａ及び下側冷凍室５の開口部５ａの周囲に配置される。切替弁２５から分岐するコンデンサ２２の他方はバイパスコンデンサ２２Ｐとなる。以下、切替弁２５から常時結露防止パイプ２４に冷媒が流通するものとして説明する。
【００３１】
なお、冷蔵庫１は間口部分の結露を検出する結露検出部１３（図４参照）を間口周辺に備える。結露検出部１３は、例えば湿度センサや結露センサ、乾湿計などを利用して構成される。
【００３２】
ドライヤ２６は冷媒に含まれる水分の凍結の発生を防止するため、冷媒から水分を除去する。キャピラリーチューブ２７は毛細管で構成され、圧力差を利用して冷媒を急激に膨張、減圧させる。
【００３３】
蒸発器（冷却器）２８は、図１に示すように冷蔵庫１の庫内に配置される。キャピラリーチューブ２７から送られてきた冷媒が蒸発器２８から熱を奪い、さらに蒸発器２８がその周囲の空気から熱を奪うことにより庫内を冷却する。蒸発器２８はサクションパイプ２９を介して圧縮機２１と接続される。
【００３４】
本体筐体２の庫内の後部、すなわち冷蔵室３、上側冷凍室４及び下側冷凍室５の奥側の壁部の前面側には、庫内を上下に貫通するダクト１４が形設される。蒸発器２８はダクト１４の中に配置される。ダクト１４は循環気流吸込口と循環気流吹出口とを有する（ともに不図示）。また、ダクト１４の内部にはダクト１４の内部及び庫内に対して循環気流を発生させるための庫内ファン１５が配置される。
【００３５】
庫内の蒸発器２８の近傍には蒸発器温度検出部１６が設けられる（図１では不図示、図４参照）。蒸発器温度検出部１６は蒸発器２８の着霜とその解消に係る温度を検出する。蒸発器２８の下方には除霜手段である蒸発器ヒータ１７が配置される。蒸発器ヒータ１７はガラス管ヒータ等で構成され、蒸発器２８の表面に付着した霜を熱により溶融して除去する。蒸発器ヒータ１７の下方であって機械室１０には除霜水を受ける蒸発皿１１が設けられる。蒸発皿１１に貯留される除霜水は圧縮機１やコンデンサ２２が発生する熱を受けて蒸発され、凝縮器ファン１２が発生する気流の一部を受けてその蒸発が助長される。
【００３６】
冷蔵庫１はその全体の動作制御を行うために、本体筐体２に図４に示す制御部３０を収容している。制御部３０は図示しない演算部や記憶部等を備え、記憶部等に記憶、入力されたプログラム、データに基づき圧縮機２１や庫内ファン１５、凝縮器ファン１２などを制御し、庫内温度が予め設定された目標値に達するように冷凍サイクル２０を運転させる。この運転にあたって、制御部３０は結露検出部１３や蒸発器温度検出部１６から得られる結露や着霜に関する温度情報に基づいて関連する構成要素を制御する。また、冷蔵庫１は動作制御に係る時間情報の取得が可能な不図示の計時部を備える。
【００３７】
圧縮機２１や庫内ファン１５を駆動して冷凍サイクル２０が稼働すると、庫内において貯蔵室の空気が循環気流吸込口からダクト１４の内部に吸い込まれる。吸い込まれた空気は蒸発器２８の周囲を通る間に冷却されて冷気となる。冷気は循環気流吹出口などを通じて貯蔵室である冷蔵室３、上側冷凍室４、下側冷凍室５及び野菜室６に送り込まれる。冷蔵室３、上側冷凍室４、下側冷凍室５及び野菜室６に送り込まれた空気は図示しない戻りダクトを通じて循環気流吸込口に戻される。
【００３８】
冷凍サイクル２０の運転時、蒸発器温度検出部１６が検出する蒸発器２８の温度が予め設定した除霜開始温度に達すると、冷蔵庫１は蒸発器２８に対する除霜運転を開始する。そして、蒸発器２８の温度が予め設定した除霜終了温度に達すると、冷蔵庫１は蒸発器２８に対する除霜運転を終了する。なお、制御部３０は除霜運転の実行時間や、除霜運転と他の特定の制御との時間間隔などといった時間に係る情報を逐次記憶する。
【００３９】
また、冷凍サイクル２０の運転時、結露検出部１３が間口の結露に係る所定条件を検出すると、冷蔵庫１は例えば凝縮器ファン１２の回転を停止、または通常より低速の回転数に設定して全体放熱バランスの切り替えを実行する。結露検出部１３が検出する結露に係る所定条件は冷蔵庫１の外気の予め設定した任意の環境条件を意味する。結露検出部１３は前述のように、例えば湿度センサや結露センサ、乾湿計などを利用して構成される。所定条件はこれらのセンサ類が出力する結露が発生した状態、或いは結露発生に近い状態を意味する。
【００４０】
冷蔵庫１は凝縮器ファン１２の回転を停止、または通常より低速の回転数に設定することで、補助凝縮器２３における冷媒の放熱量が低下する。補助凝縮器２３において通常よりも放出できなかった熱量は間口に設けた結露防止パイプ２４にわたり、結露防止パイプ２４における冷媒の放熱量が増加する。したがって、間口の結露が解消される。そして、結露検出部１３が間口の結露の解消に係る条件を検出したとき、冷蔵庫１は凝縮器ファン１２の回転を通常どおりに設定して通常の全体放熱バランスに切り替える。
【００４１】
また、冷蔵庫１は結露検出部１３から得られる情報に基づいて間口で結露が発生する、或いは間口が結露発生に近い状態になると、凝縮器ファン１２の回転数の変更に加えて、圧縮機２１の回転数を変更して全体放熱バランスの切り替えを実行する。すなわち、冷蔵庫１は、例えば凝縮器ファン１２の回転を停止、または通常より低速の回転数に設定し、さらに消費電力の増加を抑制しながら例えば圧縮機２１の回転数を通常より高速の回転数に設定する。
【００４２】
ここで例えば、冷蔵庫１は凝縮器ファン１２の回転を停止させると、通常蒸発皿１１の除霜水の蒸発量が低減する。そして、一般的に圧縮機２１の運転を停止しているとき、凝縮器ファン１２の回転を停止させることが多い。しかしながら、冷蔵庫１は圧縮機２１の運転を停止しているとき、凝縮器ファン１２を回転させる。
【００４３】
そして、冷蔵庫１は前回実行した蒸発器２８に対する除霜運転が終了してから所定期間（例えば６０分）以内であり、且つその除霜運転の実行時間が所定時間（例えば６０分）を超えたとき、間口の結露に基づいて凝縮器ファン１２の回転を停止、または通常より低速の回転数に設定する全体放熱バランスの切り替えを実行しない。
【００４４】
次に、このような冷蔵庫１の間口の結露防止に係る動作フローについて、図５に示すフローに沿って説明する。図５は冷蔵庫１の間口の結露防止に係る動作フローを示すフローチャートである。
【００４５】
冷蔵庫１における冷凍サイクル２０の運転時（図５のスタート）、制御部３０は結露検出部１３が間口の結露に係る所定条件を検出したか否かを判定する（図５のステップ＃１０１）。結露検出部１３が間口の結露に係る所定条件を検出していない場合（ステップ＃１０１のＮｏ）、すなわち間口で結露が発生していない、或いは間口が結露発生に近い状態になっていない場合、制御部３０は通常の冷凍サイクル２０の運転を継続する。
【００４６】
一方、結露検出部１３が間口の結露に係る所定条件を検出した場合（ステップ＃１０１のＹｅｓ）、すなわち間口で結露が発生した、或いは間口が結露発生に近い状態になった場合、制御部３０は前回実行した蒸発器２８に対する除霜運転から所定期間（例えば６０分）以内であるか否かを判定する（ステップ＃１０２）。ここで、前回実行の除霜運転から所定期間（例えば６０分）以内である場合（ステップ＃１０２のＹｅｓ）、制御部３０はその除霜運転の実行時間が所定時間（例えば６０分）を超えたか否かを判定する（ステップ＃１０３）。
【００４７】
そして、その除霜運転の実行時間が所定時間（例えば６０分）を超えている場合（ステップ＃１０３のＹｅｓ）、ステップ＃１０１に戻り、制御部３０は通常の冷凍サイクル２０の運転を継続する。すなわち、間口で結露が発生した、或いは間口が結露発生に近い状態になっても、制御部３０は例えば凝縮器ファン１２の回転を停止、または通常より低速の回転数に設定する全体放熱バランスの切り替えを実行しない。
【００４８】
一方、ステップ＃１０２において前回実行した除霜運転から所定期間（例えば６０分）を超過している場合（ステップ＃１０２のＮｏ）、及びステップ＃１０３において前回実行した除霜運転の実行時間が所定時間（例えば６０分）以内である場合（ステップ＃１０３のＮｏ）、制御部３０は圧縮機２１が現在運転中であるか否かを判定する（ステップ＃１０４）。
【００４９】
圧縮機２１が現在運転中である場合（ステップ＃１０４のＹｅｓ）、制御部３０は結露検出部１３が検出する間口の結露状態に基づいて凝縮器ファン１２の回転を停止、または通常より低速の回転数に設定する全体放熱バランスの切り替えを実行する（ステップ＃１０５）。一方、圧縮機２１が現在運転を停止している場合（ステップ＃１０４のＮｏ）、制御部３０は凝縮器ファン１２の回転を通常より低速の回転数に設定する全体放熱バランスの切り替えを実行する（ステップ＃１０６）。
【００５０】
続いて、制御部３０は結露検出部１３が間口の結露の解消に係る条件を検出したか否かを判定する（ステップ＃１０７）。間口の結露が解消されていない場合（ステップ＃１０７のＮｏ）、制御部３０はステップ＃１０５またはステップ＃１０６で切り替えた全体放熱バランスの状態を継続する。
【００５１】
間口の結露が解消された場合（ステップ＃１０７のＹｅｓ）、制御部３０は凝縮器ファン１２の回転を通常どおりに設定して通常の全体放熱バランスに切り替える（ステップ＃１０８）。そして、ステップ＃１０１に戻り、間口の結露の監視を継続する。
【００５２】
上記のように、冷蔵庫１は結露検出部１３が間口の結露に係る所定条件を検出したとき、凝縮器ファン１２の回転数を変更して全体放熱バランスの切り替えを実行する。これにより、冷蔵庫１は、例えば凝縮器ファン１２の回転を停止、または通常より低速の回転数に設定することで、補助凝縮器２３における冷媒の放熱量が低下する。補助凝縮器２３において通常よりも放出できなかった熱量は間口に設けた結露防止パイプ２４にわたり、結露防止パイプにおける冷媒の放熱量が増加する。このようにして、冷蔵庫１は消費電力の増加を抑制しながら全体放熱バランスの切り替えを実行して、結露防止パイプ２４を用いた結露の防止を強化することが可能である。
【００５３】
また、冷蔵庫１は凝縮器ファン１２の回転数の変更に加えて、圧縮機２１の回転数を変更して全体放熱バランスの切り替えを実行する。これにより、冷蔵庫は凝縮器ファン１２の回転を停止、または通常より低速の回転数に設定し、さらに消費電力の増加を抑制しながら圧縮機２１の回転数を通常より高速の回転数に設定する。したがって、コンデンサ２２における冷媒の発熱量が高まり、結露防止パイプ２４における冷媒の放熱量を増加させることができる。
【００５４】
そして、冷蔵庫１は圧縮機２１の運転を停止しているとき、凝縮器ファン１２を回転させるので、蒸発皿１１の除霜水の蒸発量が回復する。したがって、蒸発皿１１からの除霜水の溢流を防止することが可能である。
【００５５】
さらに、蒸発器２８に対する除霜運転に関して、冷蔵庫１は前回実行した除霜運転が終了してから所定期間（例えば６０分）以内であり、且つその除霜運転の実行時間が所定時間（例えば６０分）を超えたとき、間口の結露に基づいて凝縮器ファン１２の回転を停止、または通常より低速の回転数に設定する全体放熱バランスの切り替えを実行しない。冷蔵庫１は、例えば直前に蒸発器２８に対する除霜運転を比較的長時間実行した場合、多くの除霜水が蒸発皿１１に貯留する。そこで、冷蔵庫１は凝縮器ファン１２の回転を停止、または通常より低速の回転数に設定するようなことを実行しない。したがって、凝縮器ファン１２を利用した蒸発皿１１の除霜水の蒸発が優先され、蒸発皿１１からの除霜水の溢流を防止することが可能である。
【００５６】
そして、本発明の上記実施形態の構成によれば、冷蔵庫１全体としての消費電力の増加を抑制しながら、冷蔵庫１の筐体要所、すなわち間口の結露を防止するための結露防止パイプ２４において効果的に放熱させることが可能な冷蔵庫１を提供することができる。
【００５７】
以上、本発明の実施形態につき説明したが、本発明の範囲はこれに限定されるものではなく、発明の主旨を逸脱しない範囲で種々の変更を加えて実施することができる。
【産業上の利用可能性】
【００５８】
本発明は冷蔵庫において利用可能である。
【符号の説明】
【００５９】
１    冷蔵庫
２    本体筐体
１０    機械室
１１    蒸発皿
１２    凝縮器ファン
１３    結露検出部
２０    冷凍サイクル
２１    圧縮機
２２    コンデンサ（凝縮器）
２３    補助凝縮器
２４    結露防止パイプ
２８    蒸発器
３０    制御部
【図１】
2014059109.tif 000003
【図２】
2014059109.tif 000004
【図３】
2014059109.tif 000005
【図４】
2014059109.tif 000006
【図５】
2014059109.tif 000007